(57)【要約】【課題】  シャワーの使用水量を大幅に節約するとともに、水の供給を停止した際におけるシャワーヘッドから外部への水の流出を防ぐことができるシャワーヘッドの提供。【解決手段】  シャワーヘッド１００の後端側に設けられ、水栓からのホースHを連結するシャワー用ホース連結具３０であり、流路減少部３２と、流路減少部３２に引き続いて設けられ、流路減少部３２によって絞られた流路断面積を維持する一定流路部３３と、一定流路部３３に引き続いて設けられる流路増加部３４とが形成された本体部３５と、一定流路部３３と本体部外壁に開口する給気孔３６と、給気孔３６内に移動自在に配設され、給気孔３６から一定流路３３への外部空気の流入を許容し、給気孔３６から本体部外部への水の流れを防止する逆流防止弁３８を有していることを特徴とする。【選択図】        図３
0003122101.tif 000002
【実用新案登録請求の範囲】
【請求項１】
ヘッド部と、ヘッド部に連結された把持部とからなるシャワーヘッドの前記ヘッド部の後端側に着脱自在に設けられ、シャワーヘッドに水栓からのホースを連結するためのシャワー用ホース連結具であって、
前記ホースが連結される連結部と、流路断面積が所定の面積となるまで徐々に減少する流路減少部と、該流路減少部に引き続いて設けられ、流路減少部によって絞られた流路断面積を所定面積に維持する一定流路部と、該一定流路部に引き続いて設けられ、流路断面積が所定面積から徐々に増加する流路増加部とが形成された本体部と、
前記一定流路部に一端が開口し、他端が前記本体部外壁に開口する給気孔と、
前記給気孔の一定流路側の開口部内に移動自在に配設され、前記給気孔から一定流路内への外部空気の流入を許容し、前記給気孔から前記本体部外部への水の流れを防止する逆流防止弁と、を有していることを特徴とするシャワー用ホース連結具。
【請求項２】
前記給気孔は、前記一定流路部側よりも前記本体部外表面側の方が細径に形成されていることを特徴とする請求項１記載のシャワー用ホース連結具。
【請求項３】
前記逆流防止弁は、前記給気孔の細径部と嵌合可能な形状に形成されていることを特徴とする請求項２記載のシャワー用ホース連結具。
【請求項４】
前記給気孔および前記逆流防止弁は、前記一定流路部側から前記本体部外表面側に向けて徐々に細径になるテーパー状に形成されていて、
前記逆流防止弁は、前記給気孔の内壁面に嵌合可能に形成されていることを特徴とする請求項１記載のシャワー用ホース連結具。
【請求項５】
請求項１〜４のうちのいずれか一項記載のシャワー用ホース連結具を有するシャワーヘッド。
【考案の詳細な説明】
【技術分野】
【０００１】
本考案はシャワー用ホース連結具およびこれを用いたシャワーヘッドに関し、より詳細には、使用水量を大幅に削減すると共に、水の供給を止めた際におけるシャワーヘッドからの水の逆流を防止することが可能なシャワー用ホース連結具およびこれを用いたシャワーヘッドに関する。
【背景技術】
【０００２】
シャワーヘッド内の流水面積を絞ると共に、シャワーヘッド内の水に空気を混入することにより、シャワーヘッドから噴出させる水の体積を変えることなく水の使用量を削減させることができる節水型のシャワーヘッドとして、例えば特許文献１に記載されているようなものがある。
【特許文献１】特開２０００−１６６７９７号公報
【考案の開示】
【考案が解決しようとする課題】
【０００３】
一般的に、節水型のシャワーヘッドには、特許文献１に記載されているように、シャワーヘッド内を流れる水に空気を混入させるための給気孔が形成されている。このような節水型シャワーヘッドは、水の供給がなされている間には、通常のシャワーと同感覚で水を節約して使用することができ好適である。
しかしながら、水の供給を停止した場合や、シャワーヘッドからの水の噴出が阻害された場合等においては、給気孔からシャワーヘッド内の水がシャワーヘッドの外部に流出してしまうといった課題がある。特に、シャワーヘッドからの水の噴出が阻害された場合においては、給気孔から水が噴き出してしまうことがある。
このようなシャワーヘッドを浴室内で使用する場合においては、さしたる問題はないものの、美容室や理容室等において使用する際には、給気孔から不意に水が噴き出してしまうことは不都合である。
【０００４】
本考案は、シャワーの使用水量を大幅に節約するとともに、水の供給を停止した際におけるシャワーヘッドから外部への水の流出を防ぐことができるシャワーヘッドの提供を目的とする。
【課題を解決するための手段】
【０００５】
本考案は、ヘッド部と、ヘッド部に連結された把持部とからなるシャワーヘッドの前記ヘッド部の後端側に着脱自在に設けられ、シャワーヘッドに水栓からのホースを連結するためのシャワー用ホース連結具であって、前記ホースが連結される連結部と、流路断面積が所定の面積となるまで徐々に減少する流路減少部と、該流路減少部に引き続いて設けられ、流路減少部によって絞られた流路断面積を所定面積に維持する一定流路部と、該一定流路部に引き続いて設けられ、流路断面積が所定面積から徐々に増加する流路増加部とが形成された本体部と、前記一定流路部に一端が開口し、他端が前記本体部外壁に開口する給気孔と、前記給気孔の一定流路側の開口部内に移動自在に配設され、前記給気孔から一定流路内への外部空気の流入を許容し、前記給気孔から前記本体部外部への水の流れを防止する逆流防止弁と、を有していることを特徴とするシャワー用ホース連結具である。
【０００６】
また、前記給気孔は、前記一定流路部側よりも前記本体部外表面側の方が細径に形成されていることを特徴とする。
また、前記逆流防止弁は、前記給気孔の細径部と嵌合可能な形状に形成されていることを特徴とする。
また、前記給気孔および前記逆流防止弁は、前記一定流路部側から前記本体部外表面側に向けて徐々に細径になるテーパー状に形成されていて、前記逆流防止弁は、前記給気孔の内壁面に嵌合可能に形成されていることを特徴とする。
これらにより、シャワーヘッドへの水の供給を停止した場合や、シャワーヘッドからの水の噴出が阻害された場合において給気孔からの水の流出を防止することができるため、浴室以外での使用において、不意に水がかかってしまうことがなくなる。
【０００７】
また、他の発明は、以上に記載されているシャワー用ホース連結具のいずれかを装着してなるシャワーヘッドである。
【考案の効果】
【０００８】
本考案にかかるシャワー用ホース連結具およびこれを用いてなるシャワーヘッドによれば、節水型シャワーヘッドでありながらも、給気孔から水が流出することがないため好適である。とりわけ浴室以外での使用においては、不意に水がかかってしまうことがなくなり好都合である。
また、逆流防止弁の構造を簡便にすることができるため、低コストで節水型のシャワーヘッドを供給することができる。
【考案を実施するための最良の形態】
【０００９】
以下、本考案にかかるシャワー用ホース連結具およびこれを用いてなるシャワーヘッドの実施の形態について、図面に基づいて説明する。
【００１０】
（第１の実施形態）
図１は、本実施の形態におけるシャワーヘッドの側面図である。図２は、図１におけるＡ部分の拡大図である。
本実施の形態におけるシャワーヘッド１００は、吐出孔が形成された吐水板１２が先端部に配設されているヘッド部１０と、ヘッド部の基端部１４に一端部２２が連結される筒状の把持部２０と、把持部２０の他端部２４に連結され、図示しない水栓からのホースＨを接続するシャワー用ホース連結部３０とを有している。
【００１１】
シャワー用ホース連結部３０は、図示しないホースを接続する連結部３１と、連結部３１側から把持部２０の方向に、流路断面積が所定の断面積となるまで徐々に減少する流路減少部３２と、流路減少部３２の下流側に位置し、流路減少部３２で絞られた流路断面積が所定面積を維持する一定流路部３３と、一定流路部３３から下流側に向けて、流路断面積が徐々に増加する流路増加部３４とがこの順に形成されている本体部３５と、一定流路部３３から本体部３５の外表面（外壁）に開口するように形成された給気孔３６と、給気孔３６の一定流路部３３がわに開口する開口部を覆って配設されたメッシュ部材３７と、メッシュ部材３７で覆われた給気孔３６の開口部内に移動自在に設けられた逆流防止弁３８とにより構成されている。
【００１２】
連結部３１は、ホースＨに差し込まれるホース差込部３１ａと、ホース差込部３１ａに差し込まれたホースＨの先端部よりも本体部３５側に形成されたネジ部３１ｂと、ネジ部３１ｂに螺着可能なスリーブ状に形成され、ホースＨの外周に装着して用いる締付具３１ｃにより構成されている。
シャワー用ホース連結具３０は、把持部２０の後端部（他端部）２４に螺着して取り付けられる。この際、把持部２０内の流路と流路増加部３４とが液密に接続される。
【００１３】
流路減少部３２は、ホース差込部３１ａから流入する水を、把持部２０における流路断面積の約４分の１の断面積を有する一定流路部３３に流路断面積を徐々に減少させながら導くためのものである。水栓から供給された水が流路減少部３２により一定流路部３３に導かれると、一定流路部３３に開口されている給気孔３６から外部空気が吸い込まれ、一定流路部３３を流れる水に空気が混合される。
【００１４】
給気孔３６は、図２に示されているように、一定流路部３３側の開口部３６ａに比べて、本体部３５の外部（外壁）における開口部３６ｂの方が小径に形成されている。
また、逆流防止弁３８は、大径の開口部３６ａ側から配設され、大径の開口部３６ａがメッシュ部材３７により覆われた状態になっているので、給気孔３６から吸い込まれる空気は確実に一定流路部３３に取り込まれると共に、一定流路部３３側の開口部３６ａから本体部３５の外部（外壁）との連通部側の開口部３６ｂへの水の流れを確実にとめることができる。
【００１５】
流路増加部３４は、一定流路部３３から把持部２０の内部面積まで徐々に流路断面積を増加させながら空気が混合された水を導くためのものである。一定流路部３３において水に混合された空気は、流路断面積が徐々に増加するのに伴って、体積が増加するので、把持部２０の内部に導かれた空気混合水は、実際の水の体積に比べて大幅に体積が増加した状態となり、ヘッド部１０の吐水板１２の吐出孔から吐出される。
【００１６】
（第２の実施形態）
図３は、第２の実施形態におけるシャワー用ホース連結具の断面図である。図４は、図３における一定流路部から矢印Ｚ方向を見た状態を示す説明図である。
本実施の形態においては、大径の開口部３６ａに逆流防止弁３８のストッパ３９を配設した形態について説明を行う。第１の実施形態と同じ番号が付された部材についての詳細な説明は省略する。
【００１７】
本実施の形態においては、図３に示すように、大径の開口部３６ａ側を覆うメッシュ部材３７の代わりに逆流防止弁用３８のストッパ３９が形成されている。ストッパ３９は、ストッパ３９に形成されたネジ部３９ｚを大径の開口部３６ａに形成されたネジ溝３６ｚに螺着させることにより装着される。
本実施の形態における逆流防止弁３８の底面には、給気孔３６から流入した空気が一定流路部３３内に流入することを許容するスリット３８ａが形成されている。スリット３８ａは、図４に示すように逆流防止弁３８の底面側外周縁から逆流防止弁３８の中心に向けた径方向にのびるように形成されている。
【００１８】
本実施の形態によれば、大径の開口部３６ａが覆われず、給気孔３６から一定流路部３３への空気の流入が妨げられにくくなるため、一定流路部３３を通過する水に大量の空気を混入させることができ好都合である。
加えて、シャワーヘッド１００への水の供給を停止した場合や、ヘッド部１０からの水の吐出が妨げられた場合においては、逆流防止弁３８による開口部３６ｂの閉塞が迅速に行われるため好都合である。
【００１９】
（第３の実施形態）
本実施の形態におけるシャワーヘッド用ホース連結具３０は図５に示すように、給気孔３６に逆流防止弁３８が嵌合する形状に形成されていることが特徴になっている。
図５に示すように、逆流防止弁３８が略凸形状に形成されていて、突出部３８ｚが小径側の給気孔３６ｂに嵌合するようになっている。他の実施の形態においても同様であるが、本体部３５と逆流防止弁３８は水密に当接することができるように、互いの使用材料を選択することが好ましい。
【００２０】
以上に説明した実施の形態にかかるシャワーヘッド１００から吐出された水は、空気が混入された状態で吐出されることから実際に供給されている水量よりも大幅に体積が増加しているため、通常のシャワーよりも柔らかな使い心地であり、洗浄においては同等以上の効果を奏する。
【００２１】
以上に、本発明にかかるシャワー用ホース連結具およびこれを用いたシャワーヘッドについて、実施の形態に基づいて詳細に説明してきたが、本願発明にかかるシャワー用ホース連結具およびこれを用いたシャワーヘッドの構造は、発明の要旨を変更しない範囲において適宜変更することができるのはもちろんである。
例えば、シャワー用ホース連結具３０は、図６に示すように、給気孔３６の形状を一定流路部側の開口部３６ａから本体部３５の外表面の開口部３６ｂに徐々に縮径するテーパー状に形成すると共に、逆流防止弁３８の形状も給気孔３６の内壁面に嵌合するテーパー状に形成することもできる。この形態であっても、以上に説明した実施の形態と同様の作用効果を得ることができるうえ、逆流防止弁３８としての機能を十分発揮することができる。
【００２２】
また、逆流防止弁３８に形成するスリット３８ａの形状は、図７に示すように曲線状に形成することもできる。要は逆流防止弁３８の底面外周縁から開口部３６ａに空気の流入を可能にすることができる形状であればいずれの形状であっても採用することができるのである。
さらには、図８に示すようにシャワー用ホース連結具３０に複数の給気孔３６を設けても良い。このような構成を採用することにより、給気孔３６から一定流路部３３に供給する空気量を大幅に増やすことができ、一定流路部３３を通過した後の水の体積を大幅に増加させて、さらに水の供給量を削減することも可能である。
【図面の簡単な説明】
【００２３】
【図１】第１の実施形態におけるシャワーの側面図である。
【図２】図１のＡ部分における拡大図である。
【図３】第２の実施形態におけるシャワー用ホース連結具の断面図である。
【図４】図３における一定流路部から矢印Ｚ方向を見た状態を示す説明図である。
【図５】第３の実施形態におけるシャワー用ホース連結具の断面図である。
【図６】シャワー用ホース連結具の他の実施形態を示す説明図である。
【図７】他の実施形態における逆流防止弁の底面図である。
【図８】シャワー用ホース連結具の他の実施形態を示す説明図である。
【符号の説明】
【００２４】
１０  ヘッド部
１２  吐水板
２０  把持部
３０  シャワー用ホース連結具
３１  連結部
３２  流路減少部
３３  一定流路部
３４  流路増加部
３５  本体部
３６  給気孔
３７  メッシュ部材
３８  逆流防止弁
３８ａ  スリット
３８ｚ  突出部
３９  ストッパ
Ｈ  ホース
１００  シャワーヘッド
【図１】
0003122101.tif 000003
【図２】
0003122101.tif 000004
【図３】
0003122101.tif 000005
【図４】
0003122101.tif 000006
【図５】
0003122101.tif 000007
【図６】
0003122101.tif 000008
【図７】
0003122101.tif 000009
【図８】
0003122101.tif 000010